(57)【要約】【課題】  周囲の明るさを考慮しながらも、不自然な発色や精細度を欠いた表示を防止できる表氏制御装置、及び、表示制御プログラムを提供する。【解決手段】  表示モードに対応する環境輝度値と照射輝度等の複数の表示画質パラメータとが対応付けられた表示画質パラメータテーブルを表示モード別にメモリ１２に複数記憶させておき、取得した環境輝度値及び設定された表示モードに対応する表示画質パラメータをメモリ１２から読み出して、画像表示部１５の照明部１６の照射輝度を調整するとともに、ブライトネス、コントラスト、彩度、シャープネス等のパラメータをしたがって画像を表示する。【選択図】  図３
2007316599.tif 000002
【特許請求の範囲】
【請求項１】
表示手段と、
この表示手段に表示される対象の表示品質に関連する項目と輝度とを対応付けて記憶する記憶手段と、
周囲環境の輝度値を取得する輝度値取得手段と、
前記輝度値取得手段によって取得した輝度値にしたがって、前記表示手段の表示輝度を調整する表示輝度調整手段と、
前記輝度値取得手段によって取得した輝度値にしたがって、対応する項目を前記記憶手段より読み出し、この項目のパラメータを設定する表示品質設定手段と、
前記表示輝度調整手段によって調整された表示輝度と前記表示品質設定手段によって設定されたパラメータとで前記対象を表示するよう前記表示手段を制御する表示制御手段と
を備えたことを特徴とする表示制御装置。
【請求項２】
周囲環境の輝度と前記項目のパラメータとを表示モードと対応付けて設定するモード設定手段を更に備え、
前記表示品質設定手段は、
前記モード設定手段によって表示モードが設定されると、前記輝度値取得手段によって取得された輝度値に加え、設定された表示モードに対応するパラメータで前記対象の表示品質を設定することを特徴とする請求項１記載の表示制御装置。
【請求項３】
前記表示モードを複数記憶するモード記憶手段と、
前記記憶手段に記憶された複数の表示モードの中から任意の表示モードを選択するための選択手段と、
を更に備えたことを特徴とする請求項２記載の表示制御装置。
【請求項４】
前記対象は画像であるとともに、この画像の色成分に基づいて前記画像に描画されている内容を推測する推測手段を更に備え、
前記選択手段は、前記推測手段により推測された結果に基づいて前記複数の表示モードの中から任意の表示モードを選択することを特徴とする請求項３記載の表示制御装置。
【請求項５】
電源供給手段と、
前記電源供給手段の電源供給能力を判断する電源供給能力判断手段と、
前記電源供給能力判断手段による判断結果にしたがって、前記選択手段によって選択された表示モードを変更する変更手段と、
を更に備えたことを特徴とする請求項３又は４の何れかに記載の表示制御装置。
【請求項６】
電源供給手段と、
前記電源供給手段の電源供給能力を判断する電源供給能力判断手段と
を更に備え、
前記表示輝度調整手段は、前記輝度値取得手段によって取得した輝度値に加え、前記電源供給能力判断手段による判断の結果にしたがって、前記表示輝度を調整することを特徴とする請求項３又は４の何れかに記載の表示制御装置。
【請求項７】
撮像手段を更に備え、
前記輝度値取得手段は、
前記撮像手段により撮像された画像の輝度成分に基づいて、周囲環境の輝度値を取得することを特徴とする請求項１乃至６の何れかに記載の表示制御装置。
【請求項８】
光センサを更に備え、
前記輝度判断手段は、
前記光センサにより得られた輝度に基づいて周囲環境の輝度値を取得することを特徴とする請求項１乃至６の何れかに記載の表示制御装置。
【請求項９】
前記表示手段を照射する照明手段を更に備え、
前記表示制御手段は、前記輝度値取得手段によって取得した周囲環境の輝度値にしたがって、前記照明手段による照射度合いを制御することを特徴とする請求項１乃至８の何れかに記載の表示制御装置。
【請求項１０】
前記表示品質に関する項目とは、ブライトネス、コントラスト、及び彩度の少なくとも１つであることを特徴とする請求項１乃至９の何れかに記載の画像表示装置。
【請求項１１】
表示部を有するコンピュータを、
周囲環境の輝度値を取得する輝度値取得手段、
前記輝度値取得手段によって取得した輝度値にしたがって、前記表示部の表示輝度を調整する表示輝度調整手段、
前記輝度値取得手段によって取得した輝度値にしたがって、予め表示される対象の表示品質に関連する項目と輝度とを対応付けて記憶したメモリより項目を読み出し、この読み出された項目のパラメータを設定する表示品質設定手段、
前記表示輝度調整手段によって調整された表示輝度と前記表示品質設定手段によって設定されたパラメータとで前記対象を表示するよう前記表示部を制御する表示制御手段、
として機能させることを特徴とする表示制御プログラム。
【発明の詳細な説明】
【技術分野】
【０００１】
本発明は、表示制御装置、及び、表示制御プログラムに係り、詳しくは、画像を表示する際の表示品質を調整する表示制御装置、及び、表示制御プログラムに関する。
【背景技術】
【０００２】
近年、画像など表示する表示部のバックライトの明るさを調整する技術において、周囲の明るさに応じて液晶ディスプレイのバックライトの明るさ（表示輝度）を自動的に調整する技術が登場した（特許文献１）。
【０００３】
【特許文献１】公開特許公報  特開２００２−３４４５９８
【発明の開示】
【発明が解決しようとする課題】
【０００４】
しかしながら、上記技術によれば、単に周囲の明るさに応じてバックライトの明るさを自動調整するだけなので、バックライトの明るさによっては、表示される画像の発色が不自然なものになったり、精細な画像が表示されなくなったりするという問題であった。
【０００５】
そこで本発明は、かかる従来の問題点に鑑みてなされたものであり、周囲の明るさを考慮しながらも、不自然な発色や精細度を欠いた表示を防止できる表示制御装置、及び、表示制御プログラムを提供することを目的とする。
【課題を解決するための手段】
【０００６】
上記目的達成のため、請求項１記載の発明は、表示手段と、この表示手段に表示される対象の表示品質に関連する項目と輝度とを対応付けて記憶する記憶手段と、周囲環境の輝度値を取得する輝度値取得手段と、前記輝度値取得手段によって取得した輝度値にしたがって、前記表示手段の表示輝度を調整する表示輝度調整手段と、前記輝度値取得手段によって取得した輝度値にしたがって、対応する項目を前記記憶手段より読み出し、この項目のパラメータを設定する表示品質設定手段と、前記表示輝度調整手段によって調整された表示輝度と前記表示品質設定手段によって設定されたパラメータとで前記対象を表示するよう前記表示手段を制御する表示制御手段とを備えたことを特徴とする。
【０００７】
また、請求項２記載の発明は、上記請求項１記載の発明に加え、周囲環境の輝度と前記項目のパラメータとを表示モードと対応付けて設定するモード設定手段を更に備え、前記表示品質設定手段は、前記モード設定手段によって表示モードが設定されると、前記輝度値取得手段によって取得された輝度値に加え、設定された表示モードに対応するパラメータで前記対象の表示品質を設定することを特徴とする。
【０００８】
また、請求項３記載の発明は、上記請求項２記載の発明に加え、前記表示モードを複数記憶するモード記憶手段と、前記記憶手段に記憶された複数の表示モードの中から任意の表示モードを選択するための選択手段と、を更に備えたことを特徴とする。
【０００９】
また、請求項４記載の発明は、上記請求項３記載の発明に加え、前記対象は画像であるとともに、この画像の色成分に基づいて前記画像に描画されている内容を推測する推測手段を更に備え、前記選択手段は、前記推測手段により推測された結果に基づいて前記複数の表示モードの中から任意の表示モードを選択することを特徴とする。
【００１０】
また、請求項５記載の発明は、上記請求項３又は４記載の発明に加え、電源供給手段と、前記電源供給手段の電源供給能力を判断する電源供給能力判断手段と、前記電源供給能力判断手段による判断結果にしたがって、前記選択手段によって選択された表示モードを変更する変更手段とを更に備えたことを特徴とする。
【００１１】
また、請求項６記載の発明は、上記請求項３又は４記載の発明に加え、電源供給手段と、前記電源供給手段の電源供給能力を判断する電源供給能力判断手段と
を更に備え、前記表示輝度調整手段は、前記輝度値取得手段によって取得した輝度値に加え、前記電源供給能力判断手段による判断の結果にしたがって、前記表示輝度を調整することを特徴とする。
【００１２】
また、請求項７記載の発明は、上記請求項１乃至６の何れかに記載の発明に加え、撮像手段を更に備え、前記輝度値取得手段は、前記撮像手段により撮像された画像の輝度成分に基づいて、周囲環境の輝度値を取得することを特徴とする。  
【００１３】
また、請求項８記載の発明は、上記請求項１乃至６の何れかに記載の発明に加え、光センサを更に備え、前記輝度判断手段は、前記光センサにより得られた輝度に基づいて周囲環境の輝度値を取得することを特徴とする。
【００１４】
また、請求項９記載の発明は、上記請求項１乃至８の何れかに記載の発明に加え、前記表示手段を照射する照明手段を更に備え、前記表示制御手段は、前記輝度値取得手段によって取得した周囲環境の輝度値にしたがって、前記照明手段による照射度合いを制御することを特徴とする。
【００１５】
また、請求項１０記載の発明は、上記請求項１乃至９の何れかに記載の発明に加え、前記表示品質に関する項目とは、ブライトネス、コントラスト、及び彩度の少なくとも１つであることを特徴とする。
【００１６】
上記目的達成のため、請求項１１記載の発明は、表示部を有するコンピュータを、周囲環境の輝度値を取得する輝度値取得手段、前記輝度値取得手段によって取得した輝度値にしたがって、前記表示部の表示輝度を調整する表示輝度調整手段、前記輝度値取得手段によって取得した輝度値にしたがって、予め表示される対象の表示品質に関連する項目と輝度とを対応付けて記憶したメモリより項目を読み出し、この読み出された項目のパラメータを設定する表示品質設定手段、前記表示輝度調整手段によって調整された表示輝度と前記表示品質設定手段によって設定されたパラメータとで前記対象を表示するよう前記表示部を制御する表示制御手段、として機能させることを特徴とする。
【発明の効果】
【００１７】
本発明によれば、周囲の明るさを考慮しながらも、不自然な発色や精細度を欠いた表示を防止できる。
【発明を実施するための最良の形態】
【００１８】
以下、本実施の形態について、本発明の撮像装置をデジタルカメラに適用した一例として図面を参照して詳細に説明する。
[第１の実施の形態]
Ａ．デジタルカメラの構成
図１（ａ）は、本発明の画像表示装置、撮像装置を実現するデジタルカメラ１の電気的な概略構成を示すブロック図である。
デジタルカメラ１は、撮影レンズ２、レンズ駆動ブロック３、絞り４、ＣＣＤ５、ドライバ６、ＴＧ（timing generator）７、ユニット回路８、画像生成部９、ＣＰＵ１０、キー入力部１１、メモリ１２、ＤＲＡＭ１３、フラッシュメモリ１４、ドライバ１５、照明部１６、画像表示部１７、センサ１８、バス１９から構成されている。
【００１９】
撮影レンズ２は、図示しないフォーカスレンズ、ズームレンズを含み、レンズ駆動ブロック３が接続されている。レンズ駆動ブロック３は、図示しないフォーカスレンズ、ズームレンズをそれぞれ光軸方向に駆動させるフォーカスモータ、ズームモータと、ＣＰＵ１０からの制御信号にしたがってフォーカスモータ、ズームモータをそれぞれ光軸方向に駆動させるフォーカスモータドライバ、ズームモータドライバから構成されている。
【００２０】
絞り４は、図示しない駆動回路を含み、駆動回路はＣＰＵ１０から送られてくる制御信号にしたがって絞り４を動作させる。
絞りとは、撮影レンズ２から入ってくる光の量を制御する機構のことをいう。
【００２１】
撮像素子（ここでは、ＣＣＤ５）は、ドライバ６によって駆動され、一定周期毎に被写体像のＲＧＢ値の各色の光の強さを光電変換して撮像信号としてユニット回路８に出力する。このドライバ６、ユニット回路８の動作タイミングはＴＧ７を介してＣＰＵ１０により制御される。なお、ＣＣＤ５はベイヤー配列の色フィルターを有しており、電子シャッタとしての機能も有する。この電子シャッタのシャッタ速度は、ドライバ６、ＴＧ７を介してＣＰＵ１０によって制御される。
【００２２】
ユニット回路８は、ＣＣＤ５から出力される撮像信号を相関二重サンプリングして保持するＣＤＳ（Correlated Double Sampling）回路、そのサンプリング後の撮像信号の自動利得調整を行うＡＧＣ（Automatic Gain Control）回路、その自動利得調整後のアナログの撮像信号をデジタル信号に変換するＡ／Ｄ変換器から構成されており、ＣＣＤ５の撮像信号は、ユニット回路８を経てデジタル信号として画像生成部９に送られる。
【００２３】
画像生成部９は、ユニット回路８から送られてきた画像データに対してγ補正処理、ホワイトバランス処理などの処理を施すとともに、輝度色差信号（ＹＵＶデータ）を生成し、該生成された輝度色差信号データはバッファメモリ（ＤＲＡＭ１３）に記憶される。つまり、画像生成部９は、ＣＣＤ５から出力された画像データに対して画像処理を施し、輝度色差信号に変換する処理を行う。
【００２４】
ＣＰＵ１０は、バッファメモリに記憶された画像データの圧縮・伸張（例えば、ＪＰＥＧ形式、ＭＰＥＧ形式の圧縮・伸張）処理、撮影処理、再生処理などを行う機能を有するとともに、デジタルカメラ１の各部を制御するワンチップマイコンである。特にＣＰＵ１０は、撮像された画像データの輝度成分に基づいて環境輝度を取得する環境輝度取得回路１０１、図１（ｂ）に図示する設定テーブルを有するモード設定回路１０２、及び、該設定された表示画質及び検出された環境輝度に基づいてバックライトの照射度合いや、表示される画像のブライトネス、コントラスト、及び、彩度の調整処理などを行う表示調整回路１０３、撮像された画像データについて色成分やその偏り具合から画像が「何を描画したものか？」を推測する推測回路１０４を備える。
【００２５】
図１（ｂ）はモード設定回路１０２が有する設定テーブル１０２１の内容を図示するものである。この設定テーブル１０２１には、現在設定されている画質設定モードが「自動」か「手動」か、また、表示モードが「リアル」、「ダイナミック」、「鮮やか」、「夜専用」、「パワーセーブ」の何れであるかをフラグにより記憶管理している。尚、画質設定モード、及び、表示モードについては後述する。
【００２６】
キー入力部１１は、電源Ｏｎ／Ｏｆｆキー、シャッタボタン、モード切替キー、十字キー、ＳＥＴキー、ファインダー輝度調整ボタン（「＋」ボタン、「−」ボタン）等の複数の操作キーを含み、ユーザのキー操作に応じた操作信号をＣＰＵ１０に出力する。
【００２７】
メモリ１２には、ＣＰＵ１０によるデジタルカメラ１の各部の制御に必要なプログラム、及び各部の制御に必要なデータが格納されており、ＣＰＵ１０は、このプログラムにしたがって各処理を行う。また、メモリ１２には、図３〜図７に示すような各表示画質パラメータテーブル１２１〜１２５を備えている。ここでいう表示画質パラメータとは、ドライバ１５が画像表示部１７を背面より照射する照明部１６の輝度を調整するだけではなく、画像表示部１７に表示される表示対象である撮影画像の、ブライトネス、コントラスト、彩度を調整するパラメータも含まれる。
【００２８】
なお、詳細は後述するが、デジタルカメラ１は、表示モード“リアル”用パラメータテーブル１２１、表示モード“ダイナミック”用パラメータテーブル１２２、表示モード“鮮やか”用パラメータテーブル１２３、表示モード“夜専用”用パラメータテーブル１２４、表示モード“パワーセーブ”用パラメータテーブル１２５の５つが用意されている。
【００２９】
ＤＲＡＭ１３は、ＣＣＤ５によって撮像された後、ＣＰＵ１０に送られてきた画像データを一時記憶するバッファメモリとして使用されるとともに、ＣＰＵ１０のワーキングメモリとして使用される。フラッシュメモリ１４は、ＣＣＤ５によって撮像され、ＣＰＵ１０によって圧縮された画像データなどを保存しておく記録媒体である。
【００３０】
照射部１６は画像表示部１７の背面から光を照射するものであり、画像表示部１７は画像データに基づく画像を表示させるものである。ドライバ１５は、ＣＰＵ１０の制御信号にしたがって画像表示部１７を背面（表示面とは反対側の面）より照射する照明部１６の輝度を調整するとともに、画像表示部１７を駆動制御する。光センサ１８は、周囲の明るさを取得するためのセンサである。なお、図１（ａ）中、細い矢印は信号の流れを示し、太い矢印は画像データの流れを示している。
【００３１】
Ｂ．デジタルカメラ１の動作
第１の実施の形態におけるデジタルカメラ１の動作を図２のフローチャートに従って説明する。
【００３２】
ユーザのキー入力部１１のモード切替キーの操作によって静止画撮影モードや動画撮影モードに設定され、スルー画像表示や動画撮影が開始されると（撮像された画像データを表示させるモードになると）、ステップＳ１で、ＣＰＵ１０は、ＣＣＤ５によって撮像され、画像生成部９によって生成された直近の１枚の画像データ（ＹＵＶデータ）をバッファメモリ（ＤＲＡＭ１３）から取得する。
【００３３】
次いで、ステップＳ２で、ＣＰＵ１０は、環境輝度取得回路１０１に対し、該取得した画像データの輝度成分から環境輝度値を取得させる。この環境輝度値の取得方法は既に周知技術なので説明を省略する。なお、ＣＣＤ５とは別個に設けられた光センサ１８により得られた輝度成分に基づいて環境輝度値を取得するようにしてもよい。これにより、周囲の明るさを取得することができる。
【００３４】
次いで、ＣＰＵ１０は、モード設定回路１０２の設定テーブル１０２１の各フラグの状態を参照して、現在、ユーザのキー入力部１１の操作等により画質設定モードが「自動」に設定されているか否か、すなわち、画質設定モードにおいて「自動」にフラグがセットされているか否かを判断する（ステップＳ３）。尚、画質設定モードが「自動」に設定されていると、後述の推測回路１０４の推測処理により表示モードが自動的に設定される。
【００３５】
尚、ユーザは事前に画質設定モードを「自動」、或いは、「手動」にするかを設定することができ、このとき、モード設定回路１０２はユーザの設定操作に基づいて、設定テーブル１０２１に記憶される画質設定モードの「自動」或いは「手動」の何れかにフラグ“１”をセットする。また、「手動」を設定した場合は、ユーザは表示モードを手動で選択する。表示モードの種類としては、「ダイナミック」、「鮮やか」、「リアル」、「夜専用」、「パワーセーブ」があり、モード設定回路１０２はユーザの設定操作に基づいて、設定テーブル１０２１に記憶される表示モードの「リアル」、「ダイナミック」、「鮮やか」、「夜専用」或いは「パワーセーブ」の何れかにフラグ“１”をセットする。尚、表示モードの種類としてこの５種類を採用するが、これに限られず他の種類であってもよい。なお、静止画撮影モード中や動画撮影モード中に画質設定モードを「自動」、或いは「手動」にするか否かをユーザが行なうことができるようにしてもよい。
【００３６】
ステップＳ３で、「自動」が設定されていると判断すると、ＣＰＵ１０はステップＳ４に進み、推測回路１０４に対し、ステップＳ１で取得した画像データ（ＹＵＶデータ）における画素の色成分（ＲＧＢ）を全領域から取得し、どの色が多いか、また、画像データ全領域における特定の色の偏り具合から表示対象の画像が「何を描画したものか？」を推測させる。
【００３７】
推測回路１０４は以下の如く画像を推測する。例えば、取得した画像データにおいて最も多い色を分析し、肌色成分が多い場合はこの画像データが「人物を撮影したもの」と推測し、ステップＳ２で検出した環境輝度値が低く、且つ、各色成分すべてにおいて検出レベルが低い場合には、画像内容を「夜景」と推測する。また、ステップＳ２で検出した環境輝度値が高く、且つ、画素の色成分（ＲＧＢ）において、青（Ｂ成分）や緑（Ｇ成分）を多く含んでいる場合は、画像内容を「風景であり、且つ、晴天を撮影したもの」あるいは「花を撮影したものであり、且つ、晴天で撮影されたもの」と推測する。
【００３８】
次いでステップＳ５で、ＣＰＵ１０は推測回路１０４の推測結果に基づいて
もっとも相応しい表示モードを選択する。選択するとモード設定回路１０２に対し、設定テーブル１０２１の表示モードのフラグ状態を変更するよう制御し、ステップＳ７に進む。上記の推測回路１０４の推測結果に基づいて具体的に説明すると、上記「風景であり、且つ、晴天を撮影したもの」と推測した場合は表示モードを「ダイナミック」に設定する。また、「花を撮影したものであり、且つ、晴天で撮影されたもの」と推測した場合は表示モードを「鮮やか」に設定する。「人物を撮影したもの」と推測した場合は表示モードを「リアル」に設定する。そして、「夜景」と推測した場合は表示モードを「夜専用」に設定する。一方、ステップＳ３で、画質設定モードが「手動」であると判断すると、ステップＳ６に進み、ＣＰＵ１０は、モード設定回路１０２の設定テーブル１０２１の各フラグの状態を参照して、表示モードを設定して、ステップＳ７に進む。
【００３９】
ステップＳ７に進むと、ＣＰＵ１０は、該設定された表示モード及びステップＳ２で取得した環境輝度値に対応する表示画質パラメータ（表示品質に関するパラメータ）の値をメモリ１２から読み出す。図３〜図７は、メモリ１２に記憶されている表示画質パラメータテーブルの内容及び表示画質パラメータテーブルに基づく環境輝度値と表示画質パラメータとの関係グラフを示すものである。
【００４０】
図３は表示モードが“リアル”における表示画質パラメータテーブル１２１の内容及びその関係グラフを示すものである。図４は表示モードが“ダイナミック“における表示画質パラメータテーブル１２２の内容及びその関係グラフを示すものである。図５は表示モードが“鮮やか”における表示画質パラメータテーブル１２３の内容及びその関係グラフを示すものである。図６は表示モードが“夜専用”における表示画質パラメータテーブル１２４の内容及びその関係グラフを示すものである。図７は表示モードが“パワーセーブ”における表示画質パラメータテーブル１２５に内容及びその関係グラフを示すものである。
【００４１】
図３（ａ）に図示する表示画質パラメータテーブル１２１には、表示モード“リアル”における環境輝度値（ＬＶ）の値毎に、照射輝度ｕｐ、照射輝度ｄｏｗｎ、ブライトネス、コントラスト、彩度のパラメータがそれぞれ記憶されている。図３（ｂ）は、その関係のグラフを示すものである。表示モード“リアル”は、複数の表示モードにおいて標準とされるモードであり、表示画像の階調表現を重視したモードである。照明部１６の照射輝度（表示輝度）にあたっては、環境輝度値が１５以上で最大にするが、それ以降は、ユーザにとって画像が見やすくするよう、ドライバ１５は画像表示部１７を制御し、ブライトネスのパラメータを増加させる。また、階調表現を重視するためドライバ１６は、環境輝度値が大きくなるにつれ、コントラストのパラメータを減少させ、表示画像の白飛びや黒つぶれを防止する。
【００４２】
図４（ａ）に図示する表示画質パラメータテーブル１２２には、表示モードが“ダイナミック”における環境輝度値の値毎に、照射輝度ｕｐ、照射輝度ｄｏｗｎ、ブライトネス、コントラスト、彩度のパラメータがそれぞれ記憶されている。また、図４（ｂ）は、その関係のグラフを示すものである。表示モード“ダイナミック”は、画像のコントラストを高くして、明るい環境下でユーザが画像表示部１７を確認する場合に有効なモードである。この場合においては、ドライバ１５は照明部１６に対し２段階の照射輝度（表示輝度）を設定する。また、この照明部１６の照射で画像表示部１７の明るさは補われることから、環境輝度値が大きくなるにつれてブライトネスのパラメータの増加は穏やかになり、コントラストや彩度のパラメータはほぼ直線的に増加する。
【００４３】
また、図５（ａ）に図示する表示画質パラメータテーブル１２３には、表示モードが“鮮やか”における環境輝度値の値毎に、照射輝度ｕｐ、照射輝度ｄｏｗｎ、ブライトネス、コントラスト、彩度のパラメータがそれぞれ記憶されている。図５（ｂ）は、その関係のグラフを示すものである。表示モード“鮮やか”は、上記“リアル”と“ダイナミック”の中間にあたるモードであり、画像表示部１７の色の表現力を重視したモードである。照明部１６の照射輝度（表示輝度）の調整にあたっては、“リアル”と比較してやや照射輝度を上げて直線的に増加するように推移させ、逆にブライトネスのパラメータについては、上昇度合いをやや抑えて推移させる。また、コントラストのパラメータは、上記“ダイナミック”と比較して上がり具合をやや押さえ、彩度のパラメータについては上記“ダイナミック”と同じものを採用する。
【００４４】
また、図６（ａ）に図示する表示画質パラメータテーブル１２４には、表示モードが“夜専用”における環境輝度値の値毎に、照射輝度ｕｐ、照射輝度ｄｏｗｎ、ブライトネス、コントラスト、彩度のパラメータがそれぞれ記憶されている。図９（ｂ）は、その関係グラフを示すものである。表示モード“夜専用”は、ユーザが暗い場所で画像表示部１７を観察することを考慮し、ユーザの眼が照明部１６の輝度の変化に対し敏感に反応することから、ドライバ１５は照明部１６の照射輝度やブライトネスのパラメータの変化の度合いを抑えるように制御する。また、コントラストや彩度のパラメータの変化は、上記“リアル”とほぼ同じになるようにして、表示輝度を抑えながらも、表示画像の階調表現力を落とさないように制御する。
【００４５】
また、図７（ａ）に図示する表示画質パラメータテーブル１２５には、表示モードが“パワーセーブ”における環境輝度値の各値毎に、照射輝度ｕｐ、照射輝度ｄｏｗｎ、ブライトネス、コントラスト、彩度のパラメータがそれぞれ記憶されている。図７（ｂ）は、その関係のグラフを示すものである。表示モード“パワーセーブ”は、ドライバ１５が照明部１６の消費電力を抑えるように制御するモードである。したがって、環境輝度値が増加に対し照明部１６の照射輝度の上がり度合いは穏やかなものの、画像の暗さを補うように、ブライトネスやコントラストのパラメータが増加するように制御する。また、彩度のパラメータについては、上記“ダイナミック”及び“鮮やか”と“リアル”及び“夜専用”とのほぼ中間の値で制御する。なお、表示画質パラメータテーブルに格納されている照射輝度の欄に記載されている数値は、直接輝度の値を示すものではなく、各数値に対応する輝度値を記憶した輝度テーブルの所在を示す情報であり、関係のグラフで表されている輝度は輝度値を表している。
【００４６】
なお、表示画質パラメータテーブルの表示画質パラメータとして、照射輝度、ブライトネス、コントラスト、彩度を用いたが、これらに限られず他の要素（シャープネス等）を加味してもよいし、表示画質パラメータの種類の数は、５種類に限られない。
【００４７】
このようにステップＳ７では、ＣＰＵ１０は、ステップＳ５又はステップＳ６で設定された表示モードの表示画質パラメータテーブルの中から、ステップＳ２で検出された環境輝度値に対応する複数種の表示画質パラメータの値を取得することになる。
【００４８】
次いで、ＣＰＵ１０は、該取得した表示画質パラメータに基づいて表示させる画像の画質（表示画質）を調整して（ステップＳ８）、ステップＳ１で取得した画像を表示させる（ステップＳ９）。つまり、該取得した環境輝度値に基づいて照明部１６の照射輝度を調整するとともに、該取得したブライトネス、コントラスト、彩度の各パラメータに従ってステップＳ１で取得された画像データに基づく画像を表示する。
【００４９】
次いで、ＣＰＵ１０は、表示更新時期か否かの判断を行う（ステップＳ１０）。この表示更新時期か否かの判断は、フレーム周期（つまり、撮像する周期）到来したか否かによって判断する。ステップＳ１０で、表示更新時期でないと判断すると、表示更新時期が到来するまでステップＳ１０に留まり、表示更新時期であると判断するとステップＳ１に戻る。
【００５０】
以上のように、第１の実施の形態においては、ＣＣＤ５により撮像された画像データを表示させる処理が開始されると、該撮像された画像データを周期的に取得し、該取得した画像データから環境輝度値を取得し、該取得した環境輝度値と設定した表示モードとに対応する表示輝度（バックライトの照射輝度）を含む複数種の表示画質パラメータ（表示品質に関するパラメータ）をメモリ１２から取得し、該取得した表示画質パラメータに基づいて、画像を表示するようにしたので、周囲の明るさを考慮しながらも、不自然な発色や精細度を欠いた表示を防止することができる。
【００５１】
また、画質設定モードが「自動」に設定されているときは、取得した画像データの色成分を分析してその画像データが何を描画したものか？を推測し、該推測した結果に基づいて表示モードを設定するようにしたので、周囲環境と描画（撮像）されている画像とに相応しい表示モードを設定することができる。また、画質設定モード「手動」のときは、ユーザによって選択された表示モードに設定するようにしたので、ユーザが所望する表示モードで表示させることができる。
【００５２】
［第２の実施の形態］
次に、第２の実施の形態について説明する。第１の実施の形態においては、スルー画像表示時や動画撮影時のように撮像された画像データを表示させるときにおける表示画質の自動調整について説明したが、第２の実施の形態においては、画像データの再生時に表示画質の自動調整を行うというものである。
【００５３】
Ｃ.デジタルカメラ１の動作
第２の実施の形態も、図１に示したものと同様の構成を有するデジタルカメラ１を用いることにより本発明の撮像装置を実現する。以下、第２の実施の形態のデジタルカメラ１の動作を図８のフローチャートにしたがって説明する。
【００５４】
ユーザのモード切替キーの操作により再生モードに設定され、表示される画像データが選択されると、ＣＰＵ１０は、該選択された画像データをフラッシュメモリ１４から読み出して、画像表示部１５に表示させる処理を開始させる（ステップＳ１１）。このとき、静止画像データが選択された場合は静止画像が画像表示部１５に継続して表示され、動画データが選択された場合は、該動画データの１フレーム目から順々に所定周期でフレームが表示される。
【００５５】
次いで、ＣＰＵ１０は、ＣＣＤ５に撮像を行なわせ、１枚の画像データを取得する（ステップＳ１２）。この取得する画像データは、画像生成部９によって画像処理の施されたＹＵＶデータである。次いで、ＣＰＵ１０は、環境輝度取得回路１０１に対し、該取得した画像データの輝度成分から環境輝度値を取得させる（ステップＳ１３）。なお、ＣＣＤ５とは別個に設けられた光センサ１８により得られた輝度成分に基づいて環境輝度値を検出するようにしてもよい。この場合は、ステップＳ１２で、画像データを撮像して取得する必要がなくなる。
【００５６】
次いで、ＣＰＵ１０は、モード設定回路１０２の設定テーブル１０２１の各フラグの状態を参照して、現在、ユーザのキー入力部１１の操作等により画質設定モードが「自動」に設定されているか否か、すなわち、画質設定モードにおいて「自動」にフラグがセットされているか否かを判断する（ステップＳ１４）。
ステップＳ１４で、画質設定モードが「自動」に設定されていると判断すると、推測回路１０４に対し、ステップＳ１で取得した画像データ（ＹＵＶデータ）における画素の色成分（ＲＧＢ）を全領域から取得し、どの色が多いか、また、画像データ全領域における特定の色の偏り具合から表示対象の画像が「何を描画したものか？」を推測させる（ステップＳ１５）。この現在表示している画像データとは、静止画像を再生表示している場合には現在表示している画像データであり、動画像を再生表示している場合には、現在表示している、又は、直近に表示したフレームの画像データである。次いで、ＣＰＵ１０は、該推測した画像内容に基づいて表示モードを設定して（ステップＳ１６）、ステップＳ１８に進む。
【００５７】
一方、ステップＳ１４で、画質設定モードで「手動」が設定されていると判断すると、ＣＰＵ１０は、モード設定回路１０２の設定テーブル１０２１の各フラグの状態を参照して、表示モードを設定して（ステップＳ１７）、ステップＳ１８に進む。なお、再生モード中に画質設定モードを「自動」或いは「手動」に変更できるようにしてもよい。ステップＳ１８に進むと、ＣＰＵ１０は、該設定された表示モード及びステップＳ１３で検出した環境輝度値に対応する表示画質パラメータ（照射輝度、ブライトネスのパラメータ等）をメモリ１２から読み出す。
【００５８】
次いで、ＣＰＵ１０は、該取得した表示画質パラメータに基づいて表示させる画像の画質（表示画質）を調整する（ステップＳ１９）。つまり、該取得した環境輝度に基づいて照明部１６の照射輝度を調整するとともに、該取得したブライトネス、コントラスト、及び、彩度の各パラメータに従ってステップＳ１１で選択された画像データに基づく画像を表示する。次いで、ＣＰＵ１０は、表示更新時期か否かの判断を行い（ステップＳ２０）、表示更新時期が到来したと判断するとステップＳ１２に戻る。この表示更新時期は、動画再生の場合はフレーム周期（フレームを表示させる周期）であり、静止画再生の場合は該静止画の表示周期である。
【００５９】
以上のように、第２の実施の形態においては、フラッシュメモリ１４に記録されている画像データを再生表示させると、周期的にＣＣＤ５により画像データを取得し、該取得した画像データに基づいて環境輝度値を検出し、検出した環境輝度値と設定した表示モードとに対応する表示輝度を含む表示画質パラメータをメモリ１２から取得し、該取得した表示画質パラメータに基づいて表示させる画像の画質を調整するようにしたので、再生表示中においても周囲の明るさを考慮しながらも、不自然な発色や精細度を欠いた表示を防止することができる。
【００６０】
また、画質設定モードが「自動」に設定されているときは、取得した画像データの色成分を分析してその画像データが何を描画したものか？を推測し、該推測した結果に基づいて表示モードを設定するようにしたので、周囲環境と描画（撮像）されている画像とに相応しい表示モードを設定することができる。また、画質設定モード「手動」のときは、ユーザによって選択された表示モードに設定するようにしたので、ユーザが所望する表示モードで表示させることができる。
【００６１】
［第３の実施の形態］
次に、第３の実施の形態について説明する。
第１及び第２の実施の形態においては、画像データを分析して「何が描画されているか？」を推測し、該推測した結果に応じて表示モードを設定し、若しくは、ユーザによって選択された表示モードに設定するようにしたが、第３の実施の形態においては、更にバッテリー残量を監視し、バッテリー残量が所定値より少なくなると、自動的に表示モード“パワーセーブ”に切換えるというものである。
【００６２】
Ｄ．デジタルカメラの構成
図９は、本発明の撮像装置を実現するデジタルカメラ１の電気的な概略構成を示すブロック図である。基本的に図１に示したデジタルカメラ１を用の構成と同じであるが、図１に示すブロック図に加え、電源回路２０、電源電圧検出回路２１を備えている。なお、図１の構成部と同じ構成部については同じ符号を付している。
電源回路２０は、電池２０１及び該電池２０１の電圧を所定電圧に制御する電圧制御部を備え、電圧制御部によって制御された所定電圧をデジタルカメラ１の各部に供給させるものであり、電源電圧検出回路２１は、該電池２０１の電圧値を取得することにより該電池２０１のバッテリー残量を検出するものである。電源電圧検出回路２１によって検出された電池２０１の電圧値はＣＰＵ１０に送られる。
【００６３】
Ｅ.デジタルカメラ１の動作
第３の実施の形態におけるデジタルカメラ１の動作を図１０のフローチャートに従って説明する。この動作は、図２若しくは図８に示す動作と並列的に行なわれる。
まず、ステップＳ３１で、ＣＰＵ１０は、電源電圧回路２１に電池２０１のバッテリー残量を検出させ、該検出されたバッテリー残量を電源電圧回路２１から取得する。
【００６４】
次いで、ステップＳ３２で、ＣＰＵ１０は、該取得したバッテリー残量が所定値より低いか否かを判断する。ステップＳ３２で、該取得したバッテリー残量が所定値より低くないと判断すると、ステップＳ３３に進み、ＣＰＵ１０は、所定周期が経過したか否かを判断する。ステップＳ３３で、所定周期が経過していないと判断すると経過するまでステップＳ３３に留まり、所定周期が経過したと判断するとそのままステップＳ３１に戻る。これにより、所定周期間隔で電池２０１のバッテリー残量を取得することができる。
【００６５】
一方、ステップＳ３２で、該取得したバッテリー残量が所定値より低いと判断すると、ステップＳ３４に進み、ＣＰＵ１０は、現在表示モードとして“パワーセーブ”が設定されているか否かを判断する。ステップＳ３４で、現在表示モードとして“パワーセーブ”が設定されていないと判断すると、ステップＳ３５に進み、ＣＰＵ１０は、表示モードを“パワーセーブ”に切り替え設定する。この設定された“パワーセーブ”は、電池２０１が充電されることによりバッテリー残量が所定値より多くならないうちは、設定を変更させることはできない。
そして、このステップＳ３４で設定されたパワーセーブに従って、図２のステップＳ７で環境輝度値を取得し、ステップＳ８で該取得した環境輝度値に基づいて照明部１６の照射輝度やブライトネスのパラメータが調整される。
【００６６】
なお、現在設定されている表示モードの全ての表示画質パラメータを、パワーセーブの表示画質パラメータにするのではなく、照射輝度の表示画質パラメータのみを現在設定されている表示モードから「パワーセーブ」に切り替え設定するようにしてもよい。この場合は、ステップＳ３５を経た後であっても自動設定やユーザの手動設定によってパワーセーブ以外の他の表示モードに設定変更することは可能だが、照射輝度の表示画質パラメータのみは設定変更されない。なぜならば、照明部１６の照射輝度値が大きくなればなるほど消費電力が大きくなるからであり、この照射輝度値のみを抑えればバッテリーに負担がかからずに済むからである。
【００６７】
一方、ステップＳ３４で、現在表示モードとして“パワーセーブ”が設定されていると判断すると、ステップＳ３６に進み、ＣＰＵ１０は、“パワーセーブ”以外の表示モードへの設定変更を不可にさせる。この場合の設定変更不可も、電池２０１が充電されることによりバッテリー残量が所定値より多くなると、設定変更不可が解除される。なお、ステップＳ３６を経た後であっても、画質設定モードが「自動」或いは「手動」によってパワーセーブ以外の表示モードに設定変更することができるようにしてもよいが、照射輝度は設定変更されないようにする。
【００６８】
以上のように、第３の実施の形態においては、電池２０１のバッテリー残量が所定値より少なくなると、表示モード“パワーセーブ”を設定し、他の表示モードへの設定に変更させることができないので、照明部１６の照射輝度を抑えることにより消費電力を抑えることができ、残りわずかなバッテリー残量を効率的に使用することができる。ひいてはデジタルカメラの使用時間を長くさせることができる。
【００６９】
［第４の実施の形態］
次に、第４の実施の形態について説明する。
第３の実施の形態においては、電池２０１のバッテリー残量が所定値より少なくなると、表示モードを“パワーセーブ”に設定するようにしたが、第４の実施の形態においては、表示モードを“パワーセーブ”に切り替え設定させることなく、現在設定されている表示モードのままで消費電力を抑えるというものである。
【００７０】
Ｆ.デジタルカメラ１の構成
第４の実施の形態も、図９に示したものと同様の構成を有するデジタルカメラ１を用いることにより本発明の撮像装置を実現するが、メモリ１２に記憶されている表示モード別の表示画質パラメータテーブルが異なる。第４の実施の形態においては、表示モード別の表示画質パラメータテーブルに記憶されている各種類の表示画質パラメータのうち、照射輝度だけは、バッテリー残量の段階に応じてそれぞれ記憶されている。
【００７１】
図１１（ａ）は表示モードが“鮮やか”における表示画質パラメータテーブル１２３のうち、照射輝度の画質パラメータを示すテーブル１２３´であり、図１１（ｂ）は該照射輝度のパラメータと環境輝度値との関係グラフを示す図である。なお、照射輝度以外の他の種類の表示画質パラメータは図５と同様なので省略している。
図１１（ａ）を見ると、ＬＥＶＥＬ３、ＬＥＶＥＬ２、ＬＥＶＥＬ１、ＬＥＶＥＬ０と複数のレベル（段階）に応じて照射輝度が記憶されているのがわかる。
【００７２】
このＬＥＶＥＬはバッテリー残量の多さを示すものであり、ＬＥＶＥＬ３は電池２０１のバッテリー残量が十分にある場合に対応し、ＬＥＶＥＬ０は電池２０１のバッテリー残量が殆ど無い（バッテリーがもうすぐ無くなる）場合に対応している。そして、ＬＥＶＥＬ２は、バッテリー残量がフルの半分、ＬＥＶＬ１はバッテリー残量がかなり少なめの場合に対応している。つまり、バッテリー残量は、ＬＥＶＥＬ３→ＬＥＶＥＬ２→ＬＥＶＥＬ１→ＬＥＶＥＬ０の順に徐々に少なくなっている。
【００７３】
図１１を見ると、バッテリー残量がＬＥＶＥ３の時の照射輝度は１２３９（ｃｄ／ｍ２）を上限としている。また、バッテリー残量がＬＥＶＬＥ２の時の照射輝度は、環境輝度値１５よりも低い環境輝度値７のときの照射輝度、すなわち、６４４（ｃｄ／ｍ２）を上限としている。また、バッテリー残量がＬＥＶＥ１の時の照射輝度は、環境輝度値７よりも低い環境輝度値５のときの照射輝度、すなわち、４５８（ｃｄ／ｍ２）を上限としている。また、バッテリー残量がＬＥＶＥ０の時の照射輝度は、環境輝度値５よりも低い環境輝度値３のときの照射輝度、すなわち、２６０（ｃｄ／ｍ２）を上限としている。つまり、レベルが小さくなるほど（バッテリー残量が少なくなるほど）、輝度値の上限値を小さくさせていく（輝度値の上限を大きく制限していく）。なお、図９に示す照射輝度の表示画質パラメータは、直接輝度の値を示しているので（図１０を見ると照射輝度（ｃｄ／ｍ２）となっているのが分かる）、図５の照射輝度の表示画質パラメータテーブルとは数値が異なっている。
なお、表示モードが“鮮やか”の場合における表示画質テーブルについて説明したが、他の表示モードにおいても同様に、バッテリー残量の少なさ（小さいＬＥＶＥＬ）に応じて、照射輝度の表示画質パラメータの輝度値の上限を小さくしている。
【００７４】
Ｇ.デジタルカメラ１の動作
以下、第４の実施の形態のデジタルカメラ１の動作を図１２のフローチャートにしたがって説明する。図２のステップＳ５又はステップＳ６、若しくは、図８のステップＳ１６又はステップＳ１７で、表示モードを設定すると、図１２のステップＳ５１に進み、ＣＰＵ１０は、電源電圧回路２１に電池２０１のバッテリー残量を検出させ、該検出されたバッテリー残量を電源電圧回路２１から取得する。
【００７５】
次いで、ステップＳ５２で、ＣＰＵ１０は、該検出されたバッテリー残量に基づいて、バッテリー残量のレベル判定を行なう。ここでは、現在のバッテリー残量がＬＥＶＥＬ３、ＬＥＶＥＬ２、ＬＥＶＥＬ１、ＬＥＶＥＬ０の４段階のレベルのうち、どのレベルに対応するか否かを判断する。なお、レベルの段階を２つにしてもよいし、５つ以上にしてもよい。
【００７６】
次いで、ステップＳ５３で、ＣＰＵ１０は、該設定した表示モードの該判定したＬＥＶＥＬの照射輝度の表示画質パラメータから、図２のステップＳ２若しくは図８のステップＳ１３で検出した環境輝度値に対応する輝度値を取得する。
例えば、設定した表示モードが“鮮やか”で、該判定されたレベルがレベル２の場合の場合は、検出した環境輝度値に対応する輝度値を図１１のＬＥＶＥＬ２の照射輝度のパラメータから取得する。
【００７７】
そして、ステップＳ５４で、ＣＰＵ１０は、該設定した表示モードの照射輝度以外の表示画質パラメータ（ブライトネス、コントラスト、彩度）から検出したＬＶ値に対応する値をそれぞれ取得して、図２のステップＳ８若しくは図８のステップＳ１９に進む。これにより、図２のステップＳ８若しくは図８のステップＳ１９で、該取得した輝度値に基づいて、照明部１６の照射輝度を自動調整するとともに、該取得したブライトネス、コントラスト、彩度の各パラメータに従ってステップＳ１で取得された画像データに基づく画像を表示する。
【００７８】
これにより、設定された表示モードを変えることなく、現在のバッテリー残量に応じて照射輝度値の値を小さくすることができるので、消費電力を抑えることができ、残りわずかなバッテリー残量を効率的に使用することができる。ひいてはデジタルカメラの使用時間を長くさせることができる。
【００７９】
以上のように、第４の実施の形態においては、電池２０１のバッテリー残量に応じて表示モード毎に各レベルの照射輝度の表示画質パラメータを夫々備えるのみならず、各レベルの照射輝度はバッテリー残量が少ないレベルほど輝度値の上限を大きく制限するようにしたので、設定された表示モードを変えることなく、照射輝度を抑えることにより消費電力を抑えることができ、残りわずかなバッテリー残量を効率的に使用することができる。ひいてはデジタルカメラの使用時間を長くさせることができる。
【００８０】
なお、レベル毎に輝度のパラメータを複数備えることなく、第１及び第２の実施の形態のように輝度のパラメータを１つ備え（ＬＥＶＥＬ３のパラメータを備え）、現在のバッテリー残量の少なさに応じて、輝度の上限値を小さくしていくようにしてもよい。
【００８１】
［変形例］
Ｈ．上記各実施の形態は以下のような変形例も可能である。
【００８２】
（１）上記各実施の形態においては、表示モード別に複数種類の表示画質パラメータを記憶した表示画質パラメータテーブルを設けるようにしたが、表示画質パラメータの種類別に、各表示モードの表示画質パラメータを記憶した表示画質パラメータテーブルを設けるようにしてもよい。つまり、リアル、ダイナミック等の表示モード別にそれぞれ、輝度、ブライトネス、コントラスト等の複数種類の表示画質パラメータを記憶させるようにしたが、輝度、ブライトネス等の表示画質パラメータの種類別に、各表示モードの表示画質パラメータを記憶させるようにしてもよい。以下、その場合の例を詳述する。
【００８３】
図１３は、変形例（１）におけるデジタルカメラ１の電気的な概略構成を示すブロック図であり、基本的に図１に示したデジタルカメラ１を用の構成と同じであるが、メモリ１２に記憶されている表示画質パラメータテーブルが異なる。なお、図１の構成部と同じ構成部については同じ符号を付している。
図１３のメモリ１２は、それぞれ、各表示モードの照射輝度のパラメータを記憶した輝度パラメータテーブル１２６、各表示モードのブライトネスのパラメータを記憶したブライトネスパラメータテーブル１２７、各表示モードのコントラストのパラメータを記憶したコントラストパラメータテーブル１２８、各表示モードの彩度のパラメータを記憶した彩度パラメータテーブル１２９を備えている。
【００８４】
図１４は変形例（１）におけるメモリ１２に記憶されている輝度パラメータテーブル１２６の内容及び該輝度パラメータテーブルに基づく環境輝度値と各表示モードの照射輝度との関係グラフを示すものであり、図１５はブライトネスパラメータテーブル１２７の内容及び該ブライトネスパラメータテーブルに基づく環境輝度値と各表示モードのブライトネスとの関係グラフを示すものである。
【００８５】
また、図１６はコントラストパラメータテーブル１２６の内容及び該コントラストパラメータテーブルに基づく環境輝度値と各表示モードのコントラストとの関係グラフを示すものであり、図１７は彩度パラメータテーブル１２７の内容及び該彩度パラメータテーブルに基づく環境輝度値と各表示モードの再度との関係グラフを示すものである。
【００８６】
例えば、図１５のブライトネスパラメータテーブル１２７を見ると、図３乃至図７の各表示モード別のブライトネスのパラメータが記憶されているのがわかる。なお、図１４の輝度パラメータテーブルに記憶されている値は、直接輝度の値を示しているので（図１４を見ると輝度（ｃｄ／ｍ２）となっているのが分かる）、図３乃至図７の各表示モード別の輝度の数値とは異なっている。
【００８７】
そして、設定された表示モード及び検出された環境輝度値に応じて、輝度パラメータテーブル１２６、ブライトネスパラメータテーブル１２７、コントラストパラメータテーブル１２８、彩度パラメータテーブル１２９からそれぞれ、各種類の表示画質パラメータを取得するようにする（図２のステップＳ７、図８のステップＳ１８）。
【００８８】
このように、各パラメータの種類別に各表示モードのパラメータを記憶したテーブルを備えているので、表示モード別に表示画質パラメータテーブルを備えるのに比べ、設計変更や、ユーザによるカスタマイズも可能にすることができる。また、図１７に示すように彩度については実質３パターンしか用意していない場合は、表示モード別に表示画質パラメータテーブルを備えるのに比べ、各パラメータの種類別にパラメータを記憶した方がテーブルに使用する記憶容量を抑えることができる。
【００８９】
（２）上記各実施の形態においては、表示画質パラメータテーブルに、表示画質パラメータとして、照射輝度ｕｐ、照射輝度ｄｏｗｎ、ブライトネス、コントラスト等の複数の表示画質パラメータを記憶させるようにしたが、照射輝度ｕｐ、照射輝度ｄｏｗｎの表示輝度に関するパラメータのみを記憶させ、該パラメータに基づいて照射輝度のみを調整するようにしてもよい。
【００９０】
（３）上記各実施の形態においては、メモリ１２に表示モード別の表示画質パラメータテーブルを記憶させ、該記憶された表示画質パラメータテーブルから、検出された環境輝度値及び設定された表示モードに対応する表示画質パラメータを読み出すようにしたが、検出された環境輝度値及び設定された表示モードに基づいて演算により表示画質パラメータを算出するようにしてもよい。
【００９１】
（４）また、上記各実施の形態においては、画像データの画像内容を評価して推測する他の方法としては、顔認識処理を用いるようにしてもよい。この場合、表示モードとして「肌色優先」の表示モードを設け、顔認識処理により顔が認識された場合は、「肌色優先」の表示モードを自動的に選択するようにしてもよい。要は画像内容を判別することができる方法であればなんでもよい。この場合、判別された画像内容に対応する表示モードや表示画質パラメータを設けるようにする。
【００９２】
（５）また、上記各実施の形態においては、検出された環境輝度値及び設定された表示モードに対応する表示画質パラメータに基づいて、照射輝度を自動調整するとともに、ブライトネス、コントラスト、彩度、シャープネスに従って画像データに基づく画像を表示するようにしたが、ユーザによってファインダー輝度調整ボタンが操作されることによりファインダー輝度の手動調整が行なわれた場合は、該手動調整に基づいて表示輝度を調整するようにしてもよい。この場合は、バックライトに関するパラメータ以外の表示画質パラメータに基づいて加工処理が行なわれることになる。
【００９３】
（６）また、上記第１の実施の形態においては、ＣＣＤ５により画像データが撮像される度に、環境輝度値を検出し、該検出したＬＶ値と設定された表示モードに基づいて画質の自動調整を行なうようにしたが、所定間隔おき（１秒おき、３０フレームおき等）に撮像された画像データからＬＶ値を検出し、該検出されたＬＶ値に基づいて画質の自動調整を行なうようにしてもよい。また、上記第２の実施の形態においても同様に、ＣＣＤ５の撮像周期毎、又は、フレーム周期（フレームを表示させる周期）や静止画の表示周期毎にＬＶ値を検出し、該検出したＬＶ値に基づいて画質の自動調整を行なうようにしたが、所定間隔おき（例えば、１秒おき、３０フレームおき等）にＬＶ値を検出し、画質の自動調整を行なうようにしてもよい。
【００９４】
（７）また、上記各実施の形態においては、撮像装置について説明したが画像等の画面を表示させる表示装置であってもよい。この場合には、光センサ１８を表示装置に備える必要がある。
【００９５】
（８）また、上記各実施の形態においては、画像データを分析して推測する方法として、表示させる画像データ、又はその元となる文書データ、図面データ等のファイル形式の種類を判別し、該判別したファイル形式の種類に応じて表示モードを自動的に設定するようにしてもよい。
【００９６】
（９）また、上記各実施の形態においては、複数の表示モードというものを設けたが、表示モードというものを設けなくてもよい。この場合は、記憶されている表示画質パラメータテーブルは１つということになる。この場合においても、周囲の明るさを考慮しながらも、不自然な発色や精細度を欠いた表示を防止することができる。
【００９７】
（１０）また、上記変形例（１）乃至（９）を任意に組み合わせた態様であってもよい。
【００９８】
（１１）また、本実施の形態においては、画像表示部１７は照明部１６の照明を必要とするデバイスとして記載しているが、これに限定される必要は無く、例えば、有機ＥＬ、プラズマディスプレイ、表面伝導型電子放出素子ディスプレイ等の自発光型表示デバイスであっても適用可能である、その場合、照明部１６の照射輝度に換わり、デバイスそのものの発光輝度（表示輝度）を調整するようにすることができる。
【００９９】
最後に、上記各実施の形態においては、本発明の画像表示装置、撮像装置をデジタルカメラ１に適用した場合について説明したが、上記の実施の形態に限定されるものではなく、要は、画像を表示することができる機器であれば適用可能である。
【図面の簡単な説明】
【０１００】
【図１】（ａ）は本発明の実施の形態のデジタルカメラ１のブロック図であり、（ｂ）は設定テーブル１２０１の記憶内容を示す図である。
【図２】第１の実施の形態のデジタルカメラ１の動作を示すフローチャートである。
【図３】表示モードが“リアル”における表示画質パラメータテーブル１２１の内容及びその関係グラフを示す図である。
【図４】表示モードが“ダイナミック“における表示画質パラメータテーブル１２２の内容及びその関係グラフを示す図である。
【図５】表示モードが“鮮やか”における表示画質パラメータテーブル１２３の内容及びその関係グラフを示す図である。
【図６】表示モードが“夜専用”における表示画質パラメータテーブル１２４の内容及びその関係グラフを示す図である。
【図７】表示モードが“パワーセーブ”における表示画質パラメータテーブル１２５に内容及びその関係グラフを示す図である。
【図８】第２の実施の形態のデジタルカメラ１の動作を示すフローチャートである。
【図９】第３の実施の形態のデジタルカメラ１のブロック図である。
【図１０】第３の実施の形態のデジタルカメラ１の動作を示すフローチャートである。
【図１１】表示モードが“鮮やか”における表示画質パラメータテーブルの輝度の表示画質パラメータを示す図及びその関係グラフを示す図である。
【図１２】第４の実施の形態のデジタルカメラ１の動作を示すフローチャートである。
【図１３】変形例におけるデジタルカメラ１のブロック図である。
【図１４】各表示モードの照射輝度を記憶した輝度パラメータテーブル１２６の内容及びその関係グラフを示す図である。
【図１５】各表示モードのブライトネスを記憶したブライトネスパラメータテーブル１２７の内容及びその関係グラフを示す図である。
【図１６】各表示モードのコントラストを記憶したコントラストパラメータテーブル１２８の内容及びその関係グラフを示す図である。
【図１７】各表示モードの彩度を記憶した彩度パラメータテーブル１２９の内容及びその関係グラフを示す図である。
【符号の説明】
【０１０１】
１      デジタルカメラ
２      撮影レンズ
３      レンズ駆動ブロック
４      絞り
５      ＣＣＤ
６      ドライバ
７      ＴＧ
８      ユニット回路
９      画像生成部
１０    ＣＰＵ
１１    キー入力部
１２    メモリ
１３    ＤＲＡＭ
１４    フラッシュメモリ
１５    ドライバ
１６    照明部
１７    画像表示部
１８    光センサ
１９    バス
２０    電源回路
２１    電源電圧検出回路
【図１】
2007316599.tif 000003
【図２】
2007316599.tif 000004
【図３】
2007316599.tif 000005
【図４】
2007316599.tif 000006
【図５】
2007316599.tif 000007
【図６】
2007316599.tif 000008
【図７】
2007316599.tif 000009
【図８】
2007316599.tif 000010
【図９】
2007316599.tif 000011
【図１０】
2007316599.tif 000012
【図１１】
2007316599.tif 000013
【図１２】
2007316599.tif 000014
【図１３】
2007316599.tif 000015
【図１４】
2007316599.tif 000016
【図１５】
2007316599.tif 000017
【図１６】
2007316599.tif 000018
【図１７】
2007316599.tif 000019
【手続補正書】
【提出日】平成19年4月18日(2007.4.18)
【手続補正１】
【補正対象書類名】特許請求の範囲
【補正対象項目名】全文
【補正方法】変更
【補正の内容】
【特許請求の範囲】
【請求項１】
表示手段と、
周囲環境の輝度値を取得する輝度値取得手段と、
前記輝度値取得手段によって取得した輝度値にしたがって、前記表示手段の表示輝度を調整する表示輝度調整手段と、
前記輝度値取得手段によって取得した輝度値にしたがって、前記表示手段の表示品質に関するパラメータを設定する表示品質設定手段と、
前記表示輝度調整手段によって調整された表示輝度と前記表示品質設定手段によって設定されたパラメータとで表示対象を表示するよう前記表示手段を制御する表示制御手段と
を備えたことを特徴とする表示制御装置。
【請求項２】
夫々表示品質が異なる複数種の表示モードと、これらの表示モードから特定の表示モードを選択する選択手段とを更に備え、
前記表示品質設定手段は、
前記選択手段によって特定の表示モードが設定されると、前記輝度値取得手段によって取得された輝度値に加え、前記選択された特定の表示モードに対応するパラメータで前記対象の表示品質を設定することを特徴とする請求項１記載の表示制御装置。
【請求項３】
前記対象は画像であるとともに、この画像の色成分に基づいて前記画像に描画されている内容を推測する推測手段を更に備え、
前記選択手段は、前記推測手段により推測された結果に基づいて前記複数の表示モードの中から特定の表示モードを選択することを特徴とする請求項２記載の表示制御装置。
【請求項４】
電源供給手段と、
前記電源供給手段の電源供給能力を判断する電源供給能力判断手段と、
前記電源供給能力判断手段による判断結果にしたがって、前記選択手段によって選択された表示モードを変更する変更手段と、
を更に備えたことを特徴とする請求項２又は３に記載の表示制御装置。
【請求項５】
電源供給手段と、
前記電源供給手段の電源供給能力を判断する電源供給能力判断手段と
を更に備え、
前記表示品質設定手段は、前記輝度値取得手段によって取得した輝度値に加え、前記電源供給能力判断手段による判断の結果にしたがって、前記表示品質に関するパラメータを設定することを特徴とする請求項２又は３に記載の表示制御装置。
【請求項６】
撮像手段を更に備え、
前記輝度値取得手段は、
前記撮像手段により撮像された画像の輝度成分に基づいて、周囲環境の輝度値を取得することを特徴とする請求項１乃至５の何れかに記載の表示制御装置。
【請求項７】
光センサを更に備え、
前記輝度判断手段は、
前記光センサにより得られた輝度に基づいて周囲環境の輝度値を取得することを特徴とする請求項１乃至５の何れかに記載の表示制御装置。
【請求項８】
前記表示手段を照射する照明手段を更に備え、
前記表示制御手段は、前記輝度値取得手段によって取得した周囲環境の輝度値にしたがって、前記照明手段による照射度合いを制御することを特徴とする請求項１乃至７の何れかに記載の表示制御装置。
【請求項９】
前記表示品質に関するパラメータとは、ブライトネス、コントラスト、及び彩度の少なくとも１つに関するパラメータであることを特徴とする請求項１乃至８の何れかに記載の画像表示装置。
【請求項１０】
前記輝度値と前記表示品質に関するパラメータとを対応付けて記憶する記憶手段を更に備え、
前記表示品質設定手段は、前記輝度値取得手段によって取得した輝度値にしたがって、前記記憶手段よりパラメータを読み出して設定することを特徴とする請求項１乃至９の何れかに記載の画像表示装置。
【請求項１１】
表示部を有するコンピュータを、
周囲環境の輝度値を取得する輝度値取得手段、
前記輝度値取得手段によって取得した輝度値にしたがって、前記表示部の表示輝度を調整する表示輝度調整手段、
前記輝度値取得手段によって取得した輝度値にしたがって、前記表示手段の表示品質に関するパラメータを設定する表示品質設定手段、
前記表示輝度調整手段によって調整された表示輝度と前記表示品質設定手段によって設定されたパラメータとで前記対象を表示するよう前記表示部を制御する表示制御手段、
として機能させることを特徴とする表示制御プログラム。
【手続補正２】
【補正対象書類名】明細書
【補正対象項目名】０００６
【補正方法】変更
【補正の内容】
【０００６】
上記目的達成のため、請求項１記載の発明は、表示手段と、周囲環境の輝度値を取得する輝度値取得手段と、前記輝度値取得手段によって取得した輝度値にしたがって、前記表示手段の表示輝度を調整する表示輝度調整手段と、前記輝度値取得手段によって取得した輝度値にしたがって、前記表示手段の表示品質に関するパラメータを設定する表示品質設定手段と、前記表示輝度調整手段によって調整された表示輝度と前記表示品質設定手段によって設定されたパラメータとで表示対象を表示するよう前記表示手段を制御する表示制御手段とを備えたことを特徴とする。
【手続補正３】
【補正対象書類名】明細書
【補正対象項目名】０００７
【補正方法】変更
【補正の内容】
【０００７】
また、請求項２記載の発明は、上記請求項１記載の発明に加え、夫々表示品質が異なる複数種の表示モードと、これらの表示モードから特定の表示モードを選択する選択手段とを更に備え、前記表示品質設定手段は、前記選択手段によって特定の表示モードが設定されると、前記輝度値取得手段によって取得された輝度値に加え、前記選択された特定の表示モードに対応するパラメータで前記対象の表示品質を設定することを特徴とする。
【手続補正４】
【補正対象書類名】明細書
【補正対象項目名】０００８
【補正方法】変更
【補正の内容】
【０００８】
また、請求項３記載の発明は、上記請求項２記載の発明に加え、前記対象は画像であるとともに、この画像の色成分に基づいて前記画像に描画されている内容を推測する推測手段を更に備え、前記選択手段は、前記推測手段により推測された結果に基づいて前記複数の表示モードの中から特定の表示モードを選択することを特徴とする。
【手続補正５】
【補正対象書類名】明細書
【補正対象項目名】０００９
【補正方法】変更
【補正の内容】
【０００９】
また、請求項４記載の発明は、上記請求項２又は３記載の発明に加え、電源供給手段と、前記電源供給手段の電源供給能力を判断する電源供給能力判断手段と、前記電源供給能力判断手段による判断結果にしたがって、前記選択手段によって選択された表示モードを変更する変更手段とを更に備えたことを特徴とする。
【手続補正６】
【補正対象書類名】明細書
【補正対象項目名】００１０
【補正方法】変更
【補正の内容】
【００１０】
また、請求項５記載の発明は、上記請求項２又は３記載の発明に加え、電源供給手段と、  前記電源供給手段の電源供給能力を判断する電源供給能力判断手段とを更に備え、前記表示品質設定手段は、前記輝度値取得手段によって取得した輝度値に加え、前記電源供給能力判断手段による判断の結果にしたがって、前記表示品質に関するパラメータを設定することを特徴とする。
【手続補正７】
【補正対象書類名】明細書
【補正対象項目名】００１１
【補正方法】変更
【補正の内容】
【００１１】
また、請求項６記載の発明は、上記請求項１乃至５の何れかに記載の発明に加え、撮像手段を更に備え、前記輝度値取得手段は、前記撮像手段により撮像された画像の輝度成分に基づいて、周囲環境の輝度値を取得することを特徴とする。
【手続補正８】
【補正対象書類名】明細書
【補正対象項目名】００１２
【補正方法】変更
【補正の内容】
【００１２】
また、請求項７記載の発明は、上記請求項１乃至５の何れかに記載の発明に加え、光センサを更に備え、前記輝度判断手段は、前記光センサにより得られた輝度に基づいて周囲環境の輝度値を取得することを特徴とする。
【手続補正９】
【補正対象書類名】明細書
【補正対象項目名】００１３
【補正方法】変更
【補正の内容】
【００１３】
また、請求項８記載の発明は、上記請求項１乃至７の何れかに記載の発明に加え、前記表示手段を照射する照明手段を更に備え、前記表示制御手段は、前記輝度値取得手段によって取得した周囲環境の輝度値にしたがって、前記照明手段による照射度合いを制御することを特徴とする。
【手続補正１０】
【補正対象書類名】明細書
【補正対象項目名】００１４
【補正方法】変更
【補正の内容】
【００１４】
また、請求項９記載の発明は、上記請求項１乃至８の何れかに記載の発明に加え、前記表示品質に関するパラメータとは、ブライトネス、コントラスト、及び彩度の少なくとも１つに関するパラメータであることを特徴とする。
【手続補正１１】
【補正対象書類名】明細書
【補正対象項目名】００１５
【補正方法】変更
【補正の内容】
【００１５】
また、請求項１０記載の発明は、上記請求項１乃至９の何れかに記載の発明に加え、前記輝度値と前記表示品質に関するパラメータとを対応付けて記憶する記憶手段を更に備え、前記表示品質設定手段は、前記輝度値取得手段によって取得した輝度値にしたがって、前記記憶手段よりパラメータを読み出して設定することを特徴とする。
【手続補正１２】
【補正対象書類名】明細書
【補正対象項目名】００１６
【補正方法】変更
【補正の内容】
【００１６】
上記目的達成のため、請求項１１記載の発明は、表示部を有するコンピュータを、周囲環境の輝度値を取得する輝度値取得手段、前記輝度値取得手段によって取得した輝度値にしたがって、前記表示部の表示輝度を調整する表示輝度調整手段、前記輝度値取得手段によって取得した輝度値にしたがって、前記表示手段の表示品質に関するパラメータを設定する表示品質設定手段、前記表示輝度調整手段によって調整された表示輝度と前記表示品質設定手段によって設定されたパラメータとで前記対象を表示するよう前記表示部を制御する表示制御手段、として機能させることを特徴とする。